(57)【要約】簡易的な構造を有し、タイヤの走行面に付着し泥やタイヤの溝に埋もれた泥を確実に取り除くことができるタイヤ洗浄マットを提供する。タイヤ洗浄マット１は、トラックＴのタイヤ１５に水を噴射することで、タイヤ１５に付着した泥を取り除くものであって、タイヤ１５からの押圧力を受けるマット２と、マット２のタイヤ１５と接する面に設けられた、複数の排出吸引孔４と、マット２の内部に形成され、排出吸引孔４を介して、排出又は吸引される水が貯蔵されるポンプ室３とを備え、タイヤ１５からの押圧力によりポンプ室３が変形することで、水が噴射される構成をとる。
2020090037.tif 000002
【特許請求の範囲】
【請求項１】
車両のタイヤに流体を噴射することで、前記タイヤへの付着物を取り除くタイヤ洗浄マットであって、
前記タイヤからの押圧力を受けるマット部と、
前記マット部の前記タイヤと接する面に設けられた、複数の流体排出吸引部と、
前記マット部の内部に形成され、前記流体排出吸引部を介して、排出又は吸引される前記流体が貯蔵される複数のポンプ室部と、を備え、
前記タイヤの押圧力により、前記ポンプ室部が変形することで、前記流体が噴射される、
ことを特徴とするタイヤ洗浄マット。
【請求項２】
前記マット部が、前記タイヤから押圧力を受け、撓むことで、前記マット部の前記タイヤと接している面の前方及び後方の前記流体排出吸引部の開口部の向きが、前記タイヤの方向に変わり、
前記タイヤの前方面は、前記流体が噴射されることにより洗浄され、
前記タイヤの後方面は、前記流体が吸引されることにより洗浄される、
ことを特徴とする請求項１に記載のタイヤ洗浄マット。
【請求項３】
前記ポンプ室部を構成する底部材が脱着可能である、
ことを特徴とする請求項１又は請求項２に記載のタイヤ洗浄マット。
【請求項４】
前記ポンプ室部の底部分が全部、又は一部が開放されている、
ことを特徴とする請求項１又は請求項２に記載のタイヤ洗浄マット。
【請求項５】
前記マット部の前記タイヤと接する面に、突起状のタイヤ密着防止部材が設けられることで、前記タイヤが、前記流体排出吸引部の開口部に密着することを防止する、
ことを特徴とする請求項１から請求項４の何れか一項に記載のタイヤ洗浄マット。
【請求項６】
前記流体は、液体であり、前記マット部を液体に浸漬させて使用する、
ことを特徴とする請求項１から請求項５の何れか一項に記載のタイヤ洗浄マット。
【発明の詳細な説明】
【技術分野】
【０００１】
本発明は、車両のタイヤを洗浄するためのタイヤ洗浄マットに関するものである。
【背景技術】
【０００２】
土壌が露出している工事現場では、荷物を運ぶトラックのタイヤに泥が付着するため、トラックがそのまま車道に出た場合、車道の路面に泥が付着する。この場合、作業後、工事現場の作業者が、路面を清掃しなければいけない。
このような問題に対し、タイヤに付着した泥を取り除くことで、路面に泥が付着することを防止する車両のタイヤ洗浄装置が開示されている（例えば、特許文献１）。【０００３】
特許文献１に記載のタイヤ洗浄装置は、弾性変形可能な筒体と、筒体を上方から押圧可能な踏板と、筒体の一端に接続され、洗浄水を給水する給水口と、筒体の他端に接続され、洗浄水を放水する放水口を備えている。この給水口は、配管によって構成され、車両タイヤの側面に向けて構成されている。このタイヤ洗浄装置は、筒体がタイヤからの押圧力により潰れることで、筒体内部の洗浄水が放水口から噴出され、タイヤを洗浄するものである。
【先行技術文献】
【特許文献】
【０００４】
【特許文献１】特開２０１６−３２９７０号公報
【発明の概要】
【発明が解決しようとする課題】
【０００５】
引用文献１に記載のタイヤ洗浄装置は、放水口や給水口が配管で構成されており、この配管は、放水口がタイヤの側面を向くように設けられ、かつ、走行方向に複数設けられるため、タイヤ洗浄装置の設置に手間が生じる。そして、このタイヤ洗浄装置は、大がかりな装置であるため、コストがかかる。
さらに、放水口はタイヤの側面に向けて設けられているため、タイヤの走行面に付着した泥、走行面に形成された溝に埋もれている泥を適切に取り除くことができない。【０００６】
そこで、本発明は、簡易的な構造を有し、タイヤの走行面に付着した泥やタイヤの溝に埋もれている泥を確実に取り除くことができるタイヤ洗浄マットを提供することを目的とする。
【課題を解決するための手段】
【０００７】
本開示に係るタイヤ洗浄マットは、車両のタイヤに流体を噴射することで、タイヤへの付着物を取り除くものであって、タイヤからの押圧力を受けるマット部と、マット部のタイヤと接する面に設けられた、複数の流体排出吸引部と、マット部の内部に形成され、流体排出吸引部を介して、排出又は吸引される流体が貯蔵される複数のポンプ室部とを備え、タイヤの押圧力により、ポンプ室部が変形することで、流体が噴射されることを特徴とする。【０００８】
本開示に係るタイヤ洗浄マットは、マット部がタイヤから押圧力を受け、撓むことで、マット部のタイヤと接している面の前方及び後方の流体排出吸引部の開口部の向きが、タイヤの方向に変わり、タイヤの前方面は、流体が噴射されることにより洗浄され、タイヤの後方面は、流体が吸引されることにより洗浄されることが好ましい。【０００９】
本開示に係るタイヤ洗浄マットは、ポンプ室部を構成する底部材が脱着可能であることが好ましい。【００１０】
本開示に係るタイヤ洗浄マットは、ポンプ室部の底部分が全部、又は一部が開放されていることが好ましい。【００１１】
本開示に係るタイヤ洗浄マットは、マット部のタイヤと接する面に、突起状のタイヤ密着防止部材が設けられることで、タイヤが流体排出吸引部の開口部に密着することを防止することが好ましい。【００１２】
本開示に係るタイヤ洗浄マットは、流体が液体であり、マット部を液体に浸漬させて使用することが好ましい。
【発明の効果】
【００１３】
本開示に係るタイヤ洗浄マットは、流体排出吸引部から、タイヤに向けて流体を噴射することができる。そうすると、流体がタイヤに衝突した衝撃によって、タイヤへの付着物を取り除くことができる。したがって、車両が、工事現場から車道に出た際に、車道の路面を汚染することを防止することができる。
また、本実施形態に係るタイヤ洗浄マットは、複雑な構造を有しないため、複雑な装置やサイズの大きな部材を使用するタイヤ洗浄装置と比較し、設置作業が容易にでき、どのような場所でも設置することができる。
【図面の簡単な説明】
【００１４】
【図１】本開示の実施形態に係るタイヤ洗浄マットの平面図である。
【図２】本開示の実施形態に係るタイヤ洗浄マットの断面図である。
【図３】本開示の実施形態に係る、底部材が脱着可能な構成を有するタイヤ洗浄マットの断面図である。
【図４】本開示の実施形態に係るタイヤ洗浄マットの作成の方法を説明するための図である。
【図５】本開示の実施形態に係るタイヤ洗浄マットを備えるタイヤ洗浄装置の平面図である。
【図６】本開示の実施形態に係るタイヤ洗浄マットを備えるタイヤ洗浄装置の使用状態を示す図である。
【図７】本開示の実施形態に係るタイヤ洗浄マットの作用を説明するための図である。
【図８】本開示の実施形態に係るタイヤ洗浄マットに密着防止部材を設けた例を示す図である。
【図９】本開示の実施形態に係るタイヤ洗浄マットに他の密着防止部材を設けた例を示す図である。
【図１０】本開示の実施形態に係るタイヤ洗浄マットの他の例を示す断面図である。
【図１１】本開示の実施形態に係るタイヤ洗浄マットの他の例を示す断面図である。
【発明を実施するための形態】
【００１５】
本実施形態に係るタイヤ洗浄マットは、車両のタイヤに流体を噴射することで、タイヤの付着物を取り除くために使用される。以下、本実施形態に係るタイヤ洗浄マット及びタイヤ洗浄装置を、工事現場から荷物を運ぶトラックが使用する例について、図１から図５を参照し説明する。なお、図１に基づいて、タイヤ洗浄マットの長さ方向を長手方向Ｘ、幅方向を短手方向Ｙとする。
【００１６】
本実施形態に係るタイヤ洗浄マット１は、図１及び図２に示すように、外部からの押圧力を受けるマット（マット部）２と、このマット２の内部に形成された複数のポンプ室（ポンプ室部）３と、マット２に設けられた複数の流体排出吸引部としての排出吸引孔４とを備えている。なお、本実施形態において、流体は水を使用する。
【００１７】
［マット２］
マット２は、マット２の上部を構成する天部材５と、マット２の下部を構成する底部材６と、天部材５と底部材６とを連結する側部材７と、天部材５と底部材６との間に設けられ、ポンプ室３の側壁を構成する、複数の仕切り部材８とを備えている。
【００１８】
マット２は、矩形状であり、マット２の幅Ｗはタイヤの幅よりも大きく設計され、マット２の長さＬは、例えば、タイヤの円周より長く設計されている。
このマット２は、弾性を有する素材で構成されている。マット２は、外部からの押圧力を受けるとつぶれ、外部からの押圧力がなくなると、元の状態に復元する。マット２は、外部から繰り返し押圧力を受けるため、このマット２には、復元力や耐久性に優れた素材を使用することが好ましい。例えば、ゴム材等、弾力性のある部材を使用することができる。なお、天部材５、底部材６、側部材７及び仕切り部材８は、同じ素材で構成されていても、別の素材で構成されていてもよい。また、マット２を分割して並べて使用してもよい。
【００１９】
また、底部材６は、図３に示したような構成とし、側部材７や仕切り部材８に対し脱着可能な構造とすることもできる。底部材６を取り外すことにより、ポンプ室３に溜まった汚泥を容易に洗浄することができる。
【００２０】
［ポンプ室３］
ポンプ室３は、長手方向Ｘ及び短手方向Ｙに、それぞれ複数形成され、これらのポンプ室３には、水が貯留される。ポンプ室３は、上壁が天部材５、下壁が底部材６、側壁が仕切り部材８で構成されている。そのため、天部材５が外部からの押圧力を受けると、天部材５が押しつぶされ、仕切り部材８が変形し、ポンプ室３の容積が小さくなる。なお、ポンプ室３の形状は、立方体、直方体、円柱体、錐体等とすることができる。このポンプ室３の形状は、製作の難易度や排出吸引の効率等を考慮して決めることができる。
【００２１】
［排出吸引孔４］
排出吸引孔４は、天部材５のおもて面５Ａとうら面５Ｂを貫通するように形成され、排出吸引孔４の開口部９は、円形状である。この排出吸引孔４は、長手方向Ｘ、及び短手方向Ｙに、等間隔に複数設けられている。排出吸引孔４は、マット２の内部と外部の水の流路としての役割を担う。具体的には、天部材５が外部から押圧力を受けると、ポンプ室３に貯留されている水は、排出吸引孔４を介して、マット２の外部に排出され、押圧力がなくなると、マット２の外部の水は、排出吸引孔４を介して、ポンプ室３の内部に吸引される。なお、排出吸引孔４の形状は円形以外にも、楕円形、四角形、星形、三角形等とすることができ、製作の難易度や、水の排出吸引の効率等を考慮して決めることができる。また、排出吸引孔４の配置や数は、タイヤ１５の形状や水の排出吸引の効率等を考慮して決めることができる。
【００２２】
次に、タイヤ洗浄マット１の作製方法について説明する。
タイヤ洗浄マット１は、図４に示すように、排出吸引孔４が形成された天部材５と平面状の底部材６との間に、仕切り部材８によって仕切られ、上下を貫通する矩形状の貫通孔１０Ａが形成された中間部材１０を挟み、互いに接着させることで作製される。
１つの貫通孔１０Ａに対し、１つの排出吸引孔４が対応する。また、貫通孔１０Ａの上に天部材５、下に底部材６が設けられることで、ポンプ室３が形成される。
【００２３】
上述したタイヤ洗浄マット１は、例えば、図５に示したように、タイヤ洗浄装置１１の一部を構成する。このタイヤ洗浄装置１１は、矩形状の水槽１２と、水槽１２の内部に設置されたタイヤ洗浄マット１と、タイヤ洗浄マット１の長手方向Ｘの前後に設けられた傾斜部材１３Ａ，１３Ｂとを備えている。水槽１２の中にタイヤ洗浄マット１を浸水させることで、各ポンプ室３に水が貯留される。
【００２４】
このタイヤ洗浄装置１１は、例えば、土壌が露出している山林の工事現場と一般道路との境に設置される。タイヤ洗浄装置１１は、設置面に敷設した鉄板１４の上に設置され、右側のタイヤ用と左側のタイヤ用とを並列して設置される。
トラックＴは、図６に示すように、工事現場から車道に出る際に、タイヤ洗浄装置１１を通過する。具体的には、傾斜部材１３Ａを通過し、マット２の上を走行し、傾斜部材１３Ｂ通過する。
【００２５】
次に、本実施形態に係るタイヤ洗浄マット１の作用効果について説明する。
【００２６】
トラックＴがタイヤ洗浄マット１の上を通過すると、図７に示すように、マット２（天部材５）はタイヤ１５から大きな押圧力を受け、仕切り部材８が押しつぶされ、ポンプ室３の容積が小さくなる。そうすると、ポンプ室３に貯留されていた水が、排出吸引孔４からタイヤ１５の走行面に向けて勢いよく噴射される。噴射された水は、タイヤ１５に下方から衝突し、その衝突の衝撃で、付着している泥がタイヤ１５から取り除かれる。
【００２７】
マット２がタイヤ１５から押圧力を受けると、タイヤ１５と接している面（押圧力を受けた部分）の前後の天部材５が撓む。そうすると、タイヤ１５と接している面の前方及び後方の排出吸引孔４の開口部９の向きが、タイヤ１５の方向に変わる。そのため、タイヤ１５の前方の面は、矢印Ｆ１に示すように、噴射された水が衝突し、タイヤ１５から泥が取り除かれる。一方、タイヤ１５の後方では、矢印Ｆ２に示すように、泥を含む水が排出吸引孔４を介して、ポンプ室３に吸引される。
【００２８】
また、タイヤ１５と接している面の前後に加え、タイヤ１５と接している面（押圧力を受けた部分）の左右の天部材５が撓む。そのため、タイヤ１５から直接押圧力を受けた面に対応するポンプ室３だけではなく、その周囲のポンプ室３の容積も小さくなる。そうすると、タイヤ１５の周囲からも水が噴射され、タイヤ１５の走行面に加え、その走行面の周囲も洗浄される。
【００２９】
このように、タイヤ１５の前方では付着した泥が取り除かれ、後方では泥を含む水が吸引されることで、タイヤ１５を確実に洗浄でき、トラックＴが、工事現場から車道に出た際に、車道の路面を汚染することを回避できる。
【００３０】
また、本実施形態に係るタイヤ洗浄マット１では、ポンプ室３が複数設けられているため、押圧された際、水（流体）がポンプ室３同士間の内部循環又は移動しない。そのため、排出吸引孔４を介して、水の排出又は吸引を効率よく行うことができる。
【００３１】
本実施形態に係るタイヤ洗浄マット１の天部材５のおもて面５Ａには、図８に示すように、タイヤ密着防止部材としての突起１６を設けることもできる。この突起１６は、円錐状であり、長手方向Ｘにおいて隣り合う排出吸引孔４の間に設けられる。
この突起１６を設けることで、トラックＴがマット２の上を走行した際に、突起１６がタイヤ１５と接触し、天部材５とタイヤ１５との間に隙間が生じる。そうすると、排出吸引孔４の開口部９がタイヤ１５によって塞がれることが回避され、排出吸引孔４を介して、タイヤ１５に向けて水を確実に噴射することができる。
【００３２】
この突起１６の形状は、円錐状のものに限定されず、例えば、図９に示したように、直方体状のものを使用することもできる。また、ブラシ１７を設けることもでき、このブラシ１７は、タイヤ密着防止部材の役割を担うとともに、タイヤ１５の溝に嵌っている泥を掻き出す役割も担う。
【００３３】
本実施形態に係るタイヤ洗浄マット１は、天部材５、中間部材１０及び底部材６を重ねることで作製され、複雑な構造を有しない。そのため、マット２以外に大がかりな装置を使用するタイヤ洗浄装置と比較し、設置作業が容易にでき、どのような場所でも設置することができる。
【００３４】
＜他の例＞
本実施形態の他の例のタイヤ洗浄マット１Ａ，１Ｂは、図１０及び図１１に示したように、ポンプ室３の底部分が全部、又は一部が開放されている。このタイヤ洗浄マット１Ａ，１Ｂは、底部材６が設けられていない点で、上述のタイヤ洗浄マット１の構成とは相違する。
なお、底部分が全部開放されているとは、タイヤ洗浄マット１の底部材６が設けられていないことを意味し、底部が一部開放されているとは、底部材６に貫通孔（後述する貫通孔６Ａ）が設けられている場合を意味する。
【００３５】
タイヤ洗浄マット１Ａは、底部材６に、ポンプ室３の底よりもサイズの小さい貫通孔６Ａがポンプ室３の位置に合わせて設けられている。ポンプ室３の底部材６に貫通孔６Ａが形成されていることで、この貫通孔６Ａを介して、ポンプ室３に溜まった汚泥を取り除くことができ、ポンプ室３の洗浄が容易になる。
【００３６】
ポンプ室３の内部の水は、接している各部材に垂直に圧力を加える（図１０の矢印）。そのため、底部材６には、水から圧力が加わり、底部材６と水槽１２との密着性が向上する。そうすると、ポンプ室３に貯留された水が、隣接するポンプ室３に漏れ出すことを防止することができる。
【００３７】
タイヤ洗浄マット１Ｂは、底部材６を設けず、仕切り部材８の下端が水槽１２に直接接する構造をとる（図１１）。このタイヤ洗浄マット１Ｂは、仕切り部材８の下端が水槽１２に密着することで密着性が保たれる。タイヤ洗浄マット１Ｂでは、底部材６が設けられていないため、ポンプ室３（水槽１２の底）に溜まった汚泥を容易に洗浄することができる。
【００３８】
タイヤ洗浄マット１Ｂでは、仕切り部材８の側壁の厚さがほぼ同じ例を示しているが、仕切り部材８の側壁の厚さを、底方向に向けて徐々に厚くすることもできる。この場合、仕切り部材８と水槽１２が接する接触面積を大きくすることができ、仕切り部材８と水槽１２の密着性を高めることができる。そして、仕切り部材８の側壁に加わる長手方向Ｘの向きの力（隣接するポンプ室３側から仕切り部材８に加わる力）は、相殺され、長手方向Ｘに対して垂直方向の下向きに加わる力が大きくなる。そうすると、仕切り部材８の下端部を水槽１２に向けて押す力が大きくなり、仕切り部材８と水槽１２の密着性をさらに高めることができる。
【００３９】
以上、本実施形態について説明したが、これ以外にも、本発明の主旨を逸脱しない限り、上記実施の形態で挙げた構成を取捨選択したり、他の構成に適宜変更することが可能である。
本実施形態では、工事現場の泥がタイヤ１５に付着した場合に、流体として水を噴射させてタイヤ１５を洗浄する例について説明したが、流体としてエアを利用することができる。例えば、粉体で、かつ、水を含むことで固まってしまう付着物がタイヤ１５に付着した場合、水を噴射して洗浄することはできない。そのため、ポンプ室３からのエアを噴射することで、粉体の付着物を取り除くことができる。
【００４０】
また、本実施形態では、１つのポンプ室３に対し、１つの排出吸引孔４が設けられたタイヤ洗浄マット１について説明したが、１つのポンプ室３に対する排出吸引孔４の数は、１つに限定されず、複数設けることもできる。
なお、タイヤ密着防止部材としての突起１６及びブラシ１７は、タイヤ洗浄マット１Ａ，１Ｂにも設けることができる。
【符号の説明】
【００４１】
１，１Ａ，１Ｂ  タイヤ洗浄マット
２      マット（マット部）
３      ポンプ室（ポンプ室部）
４      排出吸引孔（流体排出吸引部）
５      天部材
５Ａ    おもて面
５Ｂ    うら面
６      底部材（底部分）
６Ａ    貫通孔
７      側部材
８      仕切り部材
９      開口部
１０    中間部材
１０Ａ  貫通孔
１１    タイヤ洗浄装置
１２    水槽
１３Ａ，１３Ｂ  傾斜部材
１４    鉄板
１５    タイヤ
１６    突起（タイヤ密着防止部材）
１７    ブラシ（タイヤ密着防止部材）
Ｆ１    水が排出される向き
Ｆ２    水が吸引される向き
Ｌ      長さ
Ｔ      トラック
Ｗ      幅
Ｘ      長手方向
Ｙ      短手方向
【図１】
2020090037.tif 000003
【図２】
2020090037.tif 000004
【図３】
2020090037.tif 000005
【図４】
2020090037.tif 000006
【図５】
2020090037.tif 000007
【図６】
2020090037.tif 000008
【図７】
2020090037.tif 000009
【図８】
2020090037.tif 000010
【図９】
2020090037.tif 000011
【図１０】
2020090037.tif 000012
【図１１】
2020090037.tif 000013
【国際調査報告】
2020090037.tif 000014
2020090037.tif 000015
2020090037.tif 000016
2020090037.tif 000017